(57)【特許請求の範囲】
【請求項１】
複数の空調機を管理対象とする空調機管理装置において、
前記複数の空調機に関し、設定されている動作モードごとの現在ON状態の空調機の台数を示すモード別稼動台数情報と、設定されている動作モードごとの現在OFF状態の空調機の台数を示すモード別停止台数情報とを含むサマリー画面の表示情報を生成する表示情報生成部と、
前記表示情報生成部で生成された表示情報を表示させる表示部と
を備えることを特徴とする空調機管理装置。
【請求項２】
前記OFF状態の空調機に設定されている動作モードは、直近で稼働していたときの動作モード、または、OFF状態になった後に変更された動作モードである
ことを特徴とする請求項１に記載の空調機管理装置。
【請求項３】
前記表示部は、前記表示情報生成部で生成された表示情報を表示するとともに、表示した前記表示情報内のいずれかの位置におけるタッチ操作を検出するタッチパネルで構成され、
前記表示情報生成部は、前記モード別稼動台数情報に対応する位置に配置した、前記複数の空調機をすべてON状態にする操作を行うための第１情報と、前記モード別停止台数情報に対応する位置に配置した、前記複数の空調機をすべてOFF状態にするための操作を行うための第２情報とをさらに含めて前記サマリー画面を生成し、
前記表示部に表示された前記サマリー画面上で前記第１情報の位置がタッチ操作されると、当該操作によりON状態に切り替わった空調機の台数分、モード別稼動台数情報内の該当する動作モードの数値を増加させ、モード別停止台数情報内のすべての動作モードの数値を「0」にするように更新し、
前記表示部に表示された前記サマリー画面上で前記第２情報の位置がタッチ操作されると、モード別稼動台数情報内のすべての動作モードの数値を「0」にするとともに、当該操作によりOFF状態に切り替わった空調機の台数分、モード別停止台数情報内の該当する動作モードの数値を増加させるように更新する
ことを特徴とする請求項１または２に記載の空調機管理装置。
【請求項４】
前記表示情報生成部は、前記モード別稼動台数情報と前記モード別停止台数情報とを上下に対応する位置に並べて配置し、前記モード別稼動台数情報の右側に前記第１情報を配置し、前記モード別停止台数情報の右側に前記第２情報を配置して、前記サマリー画面を生成する
ことを特徴とする請求項３に記載の空調機管理装置。
【請求項５】
前記表示情報生成部は、前記第１情報と第２情報とを上下に対応する位置に並べて配置して、前記サマリー画面を生成する、
ことを特徴とする請求項４に記載の空調機管理装置。
【請求項６】
複数の空調機を管理対象とする空調機管理装置が、
前記複数の空調機に関し、設定されている動作モードごとの現在ON状態の空調機の台数を示すモード別稼動台数情報と、設定されている動作モードごとの現在OFF状態の空調機の台数を示すモード別停止台数情報とを含むサマリー画面の表示情報を生成する
ことを特徴とする空調機管理画面生成方法。
【発明の詳細な説明】
【技術分野】
【０００１】
本発明の実施形態は、空調機管理装置および空調機管理画面生成方法に関する。
【背景技術】
【０００２】
通常、学校や、病院、オフィスビルなどの大型の建物内には多数の設備機器が設置されており、これらは中央管理装置において集中管理されるように管理システムが構築されている。中央管理装置では、各設備機器から稼動状態情報が逐次取得され、保持されている。【０００３】
また、中央管理装置は、設備機器の管理者が設備管理を行うための操作端末である設備管理装置と通信可能に構成されており、管理者は当該操作端末を用いて設備機器の稼動状態を確認したり動作を操作したりすることができる。
【先行技術文献】
【特許文献】
【０００４】
【特許文献１】特開２０１０−２５５９５４号公報
【発明の概要】
【０００５】
近年は、設備管理を行うための操作端末として、タブレット端末のようなタッチパネルを用いた端末が多く用いられている。端末で建物内の空調機を管理する場合、タッチパネルには、各空調機に対応するアイコンが並べられた管理画面が表示される。これらのアイコンには、対応する空調機の稼働状態を示す情報が含まれている。管理者は、これらのアイコンが表示された管理画面を見ることで、各空調機のON／OFF状態、および現在設定されている冷房モードや暖房モードなどの動作モードを把握することができる。
【０００６】
しかし、管理対象の空調機が多数である場合、端末のタッチパネルにすべてのアイコンを同時に表示させることができないため、建物内の全空調機の稼働状態を把握するには表示画面情報をスクロール操作等で移動させなければならず、手間がかかるという問題があった。
【０００７】
本発明は上記事情に鑑みてなされたものであり、多数の空調機を管理対象としている場合でも、容易に全空調機の稼働状態を把握できる管理画面を表示させることが可能な空調機管理装置および空調機管理画面生成方法を提供することを目的とする。
【０００８】
上記目的を達成するために、複数の空調機を管理対象とする空調機管理装置は、複数の空調機に関し、設定されている動作モードごとの現在ON状態の空調機の台数を示すモード別稼動台数情報と、設定されている動作モードごとの現在OFF状態の空調機の台数を示すモード別停止台数情報とを含むサマリー画面の表示情報を生成する表示情報生成部と、表示情報生成部で生成された表示情報を表示させる表示部とを備える。
【図面の簡単な説明】
【０００９】
【図１】図１は、本発明の一実施形態に係る空調機管理装置としてのタブレット端末を利用した空調システムを示す全体図である。
【図２】図２は、本発明の一実施形態に係る空調機管理装置としてのタブレット端末の構成を示すブロック図である。
【図３】図３は、本発明の一実施形態に係る空調機管理装置としてのタブレット端末の動作を示すフローチャートである。
【図４】図４は、本発明の一実施形態に係る空調機管理装置としてのタブレット端末に表示されたメイン管理画面の一例である。
【図５】図５は、本発明の一実施形態に係る空調機管理装置としてのタブレット端末に表示された、横長の全体サマリー画面の一例である。
【図６】図６は、本発明の一実施形態に係る空調機管理装置としてのタブレット端末に表示されたコントロール画面の一例である。
【図７】図７は、本発明の一実施形態に係る空調機管理装置としてのタブレット端末に表示された、横長の階別サマリー画面の一例である。
【図８】図８は、本発明の一実施形態に係る空調機管理装置としてのタブレット端末に表示された、縦長の全体サマリー画面の一例である。
【発明を実施するための形態】
【００１０】
〈一実施形態による空調機管理装置を用いた空調システムの構成〉
本発明の一実施形態として、空調機管理装置としてのタブレット端末を用いた空調システムの構成について、図１を参照して説明する。本実施形態による空調システム１は、４階建ての建物Ｘ内に設置された、管理対象の１２８台の空調機（室内機）１０−１〜１０−１２８と、これらの空調機１０−１〜１０−１２８に接続された中央管理装置としてのコントローラ２０と、コントローラ２０にハブ３０を介して接続された無線通信のアクセスポイント４０−１〜４０−３と、アクセスポイント４０−１に無線接続されたタブレット端末５０−１と、アクセスポイント４０−２に無線接続されたタブレット端末５０−２と、アクセスポイント４０−３に無線接続されたタブレット端末５０−３とを備える。タブレット端末５０−１〜５０−３は、当該空調システム１の管理者により操作される。この空調システム１においては、タブレット端末５０−１〜５０−３が空調機管理装置に該当する。なお、当該空調システム１内で用いられるタブレット端末は、１台でも良い。
【００１１】
当該建物Ｘ内の１階にはＡ店舗が入居しており、Ａ店舗内に空調機１０−１〜１０−３２が設置されている。また、２階にはＢ店舗が入居しており、Ｂ店舗内に空調機１０−３３〜１０−６４が設置されている。また、３階にはＣ店舗が入居しており、Ｃ店舗内に空調機１０−６５〜１０−９６が設置されている。また、４階にはＤ店舗が入居しており、Ｄ店舗内に空調機１０−９７〜１０−１２８が設置されている。空調機１０−１〜１０−１２８は、冷房モード、暖房モード、送風モード、または除湿モードの各動作モードで運転可能に構成されている。
【００１２】
以下、空調機１０−１〜１０−１２８に関し、これらの中のいずれかを特定する必要がない場合には「空調機１０」と記載する。同様に、タブレット端末５０−１〜５０−３に関し、これらの中のいずれかを特定する必要がない場合には「タブレット端末５０」と記載する。同様に、アクセスポイント４０−１〜４０−３に関し、これらの中のいずれかを特定する必要がない場合には「アクセスポイント４０」と記載する。
【００１３】
コントローラ２０は、空調機１０−１〜１０−１２８と通信を行うことにより、必要に応じて空調機１０−１〜１０−１２８の動作を制御するための動作制御情報を送信するとともに、空調機１０−１〜１０−１２８の稼動状態情報を所定時間間隔で取得する。この稼動状態情報は、各空調機１０のそれぞれの運転・停止（ON,OFF）状態、設定されている動作モード、設定温度、風量、風向の情報を少なくとも含んでいる。
【００１４】
各タブレット端末５０はそれぞれ、図２に示すように、タッチパネル５１と、ＣＰＵ５２と、通信部５３とを有する。タッチパネル５１は、操作情報検出部５１１と、表示部５１２とを有する。操作情報検出部５１１は、タッチパネル５１上での管理者の指などの接触による操作位置および、タップ操作やスワイプ操作等の操作種別を検出する。表示部５１２は、後述する表示情報生成部５２２で生成される表示情報を表示する。通信部５３は、アクセスポイント４０を介してコントローラ２０との通信を逐次実施し、各空調機１０−１〜１０−１２８に対して運転に関する各種指示を出すと共にコントローラ２０から空調機１０−１〜１０−１２８の稼動状態情報を取得する。
【００１５】
ＣＰＵ５２は、操作内容判定部５２１と、表示情報生成部５２２と、動作制御情報生成部５２３とを有する。操作内容判定部５２１は、操作情報検出部５１１で検出された操作情報および表示情報生成部５２２で生成された表示情報に基づいて、管理者が行った操作内容を判定する。すなわち、操作内容判定部５２１は、操作情報検出部５１１で検出された操作位置の表示情報の内容と、該当する操作の種別との組み合わせから操作内容を判定し、対応する操作情報を出力する。この操作内容としては例えば、管理対象の空調機の稼働状態に関するサマリー画面を表示させる操作、所定の空調機の動作を操作するためのコントロール画面を表示させる操作、これらのサマリー画面またはコントロール画面での操作情報に基づいて所定の空調機の運転内容を変更する操作等がある。表示情報生成部５２２は、操作内容判定部５２１で判定された操作内容、およびコントローラ２０から取得する空調機１０−１〜１０−１２８の稼動状態情報に基づいて、表示部５１２に表示させるための表示情報を生成する。また、生成した表示情報内の空調機１０−１〜１０−１２８の稼動状態情報を、適宜最新の情報に更新する。動作制御情報生成部５２３は、操作内容判定部５２１で判定された操作内容に基づいて、操作対象の空調機１０の動作制御情報を生成する。
【００１６】
〈一実施形態による空調機管理装置を用いた空調システムの動作〉
次に、本実施形態による空調システム１の動作について、図３のフローチャートおよび図４〜８の画面構成図を参照して説明する。空調システム１内では、コントローラ２０により、空調機１０−１〜１０−１２８の稼動状態情報が所定時間間隔で取得され保持されている。
【００１７】
管理者がタブレット端末５０を用いて空調機１０−１〜１０−１２８の管理作業を開始すると、表示情報生成部５２２においてコントローラ２０から最新の空調機１０−１〜１０−１２８の稼動状態情報が取得され、これらの情報を用いてメイン管理画面６０の表示情報が生成される。
【００１８】
メイン管理画面６０は、１階（Ａ店舗）〜４階（Ｄ店舗）それぞれに対応した、エリア表示部６１−１〜６１−４および空調機アイコン表示部６２−１〜６２−４を有する。１階に対応するエリア表示部６１−１内にはテキスト情報「１階（店舗Ａ）」が配置され、空調機アイコン表示部６２−１内には、１階に設置された空調機１０−１〜１０−３２それぞれに対応する空調機アイコン６３−１〜６３−３２が配置される。また、２階に対応するエリア表示部６１−２内には、テキスト情報「２階（店舗Ｂ）」が配置され、空調機アイコン表示部６２−２内には、２階に設置された空調機１０−３３〜１０−６４それぞれに対応する空調機アイコン６３−３３〜６３−６４が配置される。また、３階に対応するエリア表示部６１−３内には、テキスト情報「３階（店舗Ｃ）」が配置され、空調機アイコン表示部６２−３内には、３階に設置された空調機１０−６５〜１０−９６それぞれに対応する空調機アイコン６３−６５〜６３−９６が配置される。また、４階に対応するエリア表示部６１−４内には、テキスト情報「４階（店舗Ｄ）」が配置され、空調機アイコン表示部６２−４内には、４階に設置された空調機１０−９７〜１０−１２８それぞれに対応する空調機アイコン６３−９７〜６３−１２８が配置される。
【００１９】
これらの空調機アイコン６３−１〜６３−１２８はそれぞれ、対応する空調機１０−１〜１０−１２８のON／OFFを切り替えるための操作スイッチとして機能する。なお、これらのエリア表示部および空調機アイコン表示部の表示情報は、管理対象とする建物の階床数や空調機の設置台数に応じて適宜変更される。
【００２０】
生成されたメイン管理画面６０の表示情報は、タッチパネル５１の表示部５１２に送出されて表示される（Ｓ１）。表示部５１２に表示されたメイン管理画面６０の一例を、図４に示す。図４においては、表示部５１２内にメイン管理画面６０の全情報を表示しきれないため、メイン管理画面６０内のエリア表示部６１−２および空調機アイコン表示部６２−２の一部が表示されている。エリア表示部６１−２には、テキスト情報「２階（Ｂ店舗）」が表示され、空調機アイコン表示部６２−２には、空調機アイコン６３−３３〜６３−４７が表示されている。メイン管理画面６０の表示情報のうち、現在表示されていない情報は、画面右端のスクロールバー６４が操作されることで、メイン管理画面６０内の表示領域が移動され表示される。
【００２１】
これらの空調機アイコン６３−３３〜６３−４７は、対応する空調機のON／OFF状態に基づいて異なる色調または輝度で表示される。例えば、ON状態の空調機に対応する空調機アイコンはカラーの図形で表示され、OFF状態の空調機に対応する空調機アイコンはモノクロで低輝度の図形で表示される。図４においては、空調機アイコン６３−３７、６３−４１、６３−４７がモノクロで低輝度の図形で表示されており、対応する空調機１０−３７、１０−４１、１０−４７がOFF状態であることが示されている。また、空調機アイコン６３−４６の表示位置にエラー発生を示すマークが表示されており、対応する空調機１０−４６内でエラーが発生してOFF状態であることが示されている。また、それ以外の空調機アイコン６３−３３〜６３−３６、６３−３８〜６３−４０、６３−４２〜６３−４５はカラーの図形で表示され、対応する空調機１０−３３〜１０−３６、１０−３８〜１０−４０、１０−４２〜１０−４５がON状態であることが示されている。
【００２２】
また、各アイコンには対応する空調機に現在設定されている動作モードを示すマークが含まれている。図４においては、空調機アイコン６３−３３〜６３−３８、６３−４１〜６３−４５、６３−４７内に冷房モードを示すマークが含まれており、対応する空調機１０−３３〜１０−３８、１０−４１〜１０−４５、１０−４７が現在冷房モードに設定されていることが示されている。また、空調機アイコン６３−３９内に暖房モードを示すマークが含まれており、対応する空調機１０−３９が現在暖房モードに設定されていることが示されている。また、空調機アイコン６３−４０内に除湿モードを示すマークが含まれており、対応する空調機１０−４０が現在除湿モードに設定されていることが示されている。
【００２３】
なお、現在OFF状態の空調機に対応する空調機アイコン６３−３７、６３−４１、および６３−４７内に含まれるマークは、直近で稼働していたときの動作モードとなっている。直近で稼動していたときの動作モードはOFF状態の間も設定が維持されており、当該OFF状態の空調機がON操作されると、当該動作モードで運転が再開される。
【００２４】
また、図４のメイン管理画面６０の右上には、建物Ｘ内の全空調機の稼働状態を簡易に示す稼働状態簡易情報６５が表示されている。図４では、稼働状態簡易情報６５として、当該建物Ｘ内でON状態の空調機の台数を示すマークおよびテキスト情報「１１６」と、エラー状態の空調機の台数を示すマークおよびテキスト情報「３」が表示されている。
【００２５】
管理者は、メイン管理画面６０を見ることで、各空調機のON／OFF状態、および現在設定されている動作モードを把握することができる。
【００２６】
メイン管理画面６０の表示中、表示情報生成部５２２においてコントローラ２０から所定時間間隔で取得される最新の情報に基づいて、表示情報が適宜更新される。
【００２７】
このように表示されたメイン管理画面６０において、管理者が稼働状態簡易情報６５内のON状態の空調機の台数を示すマークおよびテキスト情報「１１６」の表示情報内のいずれかの位置をタップ操作すると（Ｓ２の「YES」）、表示情報生成部５２２により、最新の空調機１０−１〜１０−１２８の稼動状態情報に基づいて動作モードごとの稼動台数および動作モードごとの停止台数が集計される。そして、建物Ｘ全体の空調機に関する詳細な稼働状態を示す全体サマリー画面７０Ａが生成され、表示部５１２に表示される（Ｓ３）。
【００２８】
表示部５１２に表示された全体サマリー画面７０Ａの一例を、図５に示す。図５の全体サマリー画面７０Ａは横長に構成され、左側上部に、建物Ｘ内で現在ON状態の空調機の台数を示す全稼動台数情報７１、および全空調機台数に対するON状態の空調機台数の割合を円弧の長さで表す図形情報７２が表示されている。また、左側下部に、建物Ｘ内で現在OFF状態の空調機の台数を示す全停止台数情報７３が表示されている。
【００２９】
また、中央上部に、各動作モード（自動運転モード、冷房モード、暖房モード、送風モード、除湿モード）に対応する図形のアイコンが横1列に表示され、それぞれのアイコン（動作モードアイコン）の下部に、建物Ｘ内の全空調機に関し、設定されている動作モードごとの現在ON状態の空調機の台数を示すモード別稼動台数情報７４が表示され、さらにその下部に、設定されている動作モードごとの現在OFF状態の空調機の台数を示すモード別停止台数情報７５が表示されている。つまり、動作モードアイコンと、モード別稼動台数情報７４と、モード別停止台数情報７５とは、動作モードごとに上下に対応する位置に並べて配置されている。
【００３０】
また、右側上部に、建物Ｘ内の空調機をすべてON状態にする操作を行うための第１情報である「ALL ON」ボタン情報７６が表示されている。「ALL ON」ボタン情報７６は、四角い枠とその枠内のほぼ中央に配置された「ALL ON」の文字からなる。また、右側下部に、建物Ｘ内の空調機をすべてOFF状態にする操作を行うための第２情報である「ALL OFF」ボタン情報７７が表示されている。「ALL OFF」ボタン情報７７は、四角い枠とその枠内のほぼ中央に配置された「ALL OFF」の文字からなる。
【００３１】
「ALL ON」ボタン情報７６は、ON状態の空調機台数に関する情報である全稼動台数情報７１およびモード別稼動台数情報７４に対応する位置、例えば図５では、ON状態の空調機台数に関する情報の右側に表示される。「ALL OFF」ボタン情報７７は、OFF状態の空調機台数に関する情報である全停止台数情報７３およびモード別停止台数情報７５に対応する位置、例えば図５では、OFF状態の空調機台数に関する情報の右側に表示される。つまり、「ALL ON」ボタン情報７６と「ALL OFF」ボタン情報７７は、上下に対応する位置に並べて配置されている。このように表示されることで、管理者が「ALL ON」ボタン情報７６および「ALL OFF」ボタン情報７７の機能を認識しやすくなる。
【００３２】
なお、「ALL ON」ボタン情報７６は、動作モードアイコンとモード別稼動台数情報７４との両方にわたる高さ（長さ）に設定されているため、「ALL OFF」ボタン情報７７よりも高さ方向に長くなっている。このため、「ALL ON」ボタン情報７６と「ALL OFF」ボタン情報７７は、横幅は同じであるが、「ALL ON」ボタン情報７６の四角い枠は、ほぼ正方形で、「ALL OFF」ボタン情報７７の四角い枠は、横長の長方形となっている。
【００３３】
管理者により「ALL ON」ボタン情報７６の位置がタップ操作されると、動作制御情報生成部５２３により、OFF状態の空調機を、現在設定されている動作モードでON状態に切り替えるためのON制御情報が生成され、コントローラ２０を介して該当する空調機１０に送信される。ON制御情報が取得された空調機１０は、現在設定されている動作モードでOFF状態からON状態に切り替えられる。なお、既にON状態にある空調機１０に対しては何らの指示はなされず、該当する空調機１０はそのままON状態が維持される。また、「ALL ON」ボタン情報７６の位置がタップ操作されると、表示情報生成部５２２により、全体サマリー画面７０Ａ内に表示されている情報７１〜７５が更新される。具体的には、当該操作によりON状態に切り替わった空調機１０の台数分、モード別稼動台数情報７４内の該当する動作モードの数値が増加するように更新される。また、モード別停止台数情報７５内のすべての動作モードの数値が「0」になるように更新される。
【００３４】
一方、管理者により「ALL OFF」ボタン情報７７の位置がタップ操作されると、動作制御情報生成部５２３により、ON状態の空調機をOFF状態に切り替えるためのOFF制御情報が生成され、コントローラ２０を介して該当する空調機１０に送信される。OFF制御情報が取得された空調機１０は、ON状態からOFF状態に切り替えられる。既にOFF状態にある空調機１０に対しては何らの指示はなされず、該当する空調機１０はそのままOFF状態が維持される。
【００３５】
また、「ALL OFF」ボタン情報７７の位置がタップ操作されると、表示情報生成部５２２により、全体サマリー画面７０Ａ内に表示されている情報７１〜７５が更新される。具体的には、モード別稼動台数情報７４内のすべての動作モードの数値が「0」になるように更新される。また、当該操作によりOFF状態に切り替わった空調機１０の台数分、モード別停止台数情報７５内の該当する動作モード（OFF状態になる直前の動作モード）の数値が増加するように更新される。
【００３６】
全体サマリー画面７０Ａの表示中、表示情報生成部５２２により、コントローラ２０から所定時間間隔で取得される最新の情報に基づいて、動作モードごとの稼動台数および停止台数が適宜集計され、表示情報が更新される。
【００３７】
また、全体サマリー画面７０Ａの右下部には「CLOSE」ボタン情報７８が表示されており、管理者が当該「CLOSE」ボタン情報７８の位置をタップ操作すると（Ｓ４の「YES」）、図４のメイン管理画面６０が表示された状態に戻る。
【００３８】
また、図４のメイン管理画面６０において、管理者がいずれかの空調機アイコン、例えば空調機アイコン６３−３５をタップ操作すると（Ｓ２の「NO」→Ｓ５の「YES」）、表示情報生成部５２２により該当する空調機１０−３５の詳細な運転内容を操作するためのコントロール画面８０−３５が生成され、表示部５１２に表示される（Ｓ６）。
【００３９】
表示部５１２に表示されたコントロール画面８０−３５の一例を、図６に示す。図６のコントロール画面８０−３５は横長に構成されており、運転／停止（ON／OFF）ボタン情報８０１と、自動運転モードボタン情報８０２と、冷房モードボタン情報８０３と、暖房モードボタン情報８０４と、送風モードボタン情報８０５と、除湿モードボタン情報８０６と、設定温度情報８０７と、設定温度変更ボタン情報８０８と、風向変更ボタン情報８０９と、風量変更ボタン情報８１０と、ロックボタン情報８１１と、オプションボタン情報８１２とが表示されている。
【００４０】
これらの情報が表示された状態で、コントロール画面８０−３５上で管理者によりいずれかのボタン情報の位置がタッチ操作されると、操作情報検出部５１１により、当該操作情報が検出される。そして、操作内容判定部５２１により、操作情報検出部５１１で検出された操作情報および表示情報生成部５２２で生成された表示情報に基づいて、管理者が行った操作内容が判定される。操作内容判定部５２１で操作内容が判定されると、動作制御情報生成部５２３において、判定された操作内容に基づいて操作対象の空調機１０−３５の動作制御情報が生成される。生成された動作制御情報は、通信部５３およびコントローラ２０を介して該当する空調機１０−３５に送信され、運転内容が変更される。
【００４１】
つまり管理者は、これらのボタンを操作することで、所定の空調機のON／OFF操作、動作モード変更操作、設定温度変更操作、風向変更操作、風量変更操作、操作受け付けを禁止する設定、オプション機能の設定等を行うことができる。
【００４２】
また、操作内容判定部５２１で操作内容が判定されたときには、表示情報生成部５２２により、判定された操作内容に基づいてコントロール画面８０−３５内の該当するボタン情報が変更される。
【００４３】
図６において、コントロール画面８０−３５の左側には、空調機１０−３４の詳細な運転内容を操作するためのコントロール画面８０−３４の一部が表示されており、管理者がタッチパネル５１上で右方向にフリック操作を行うと、当該コントロール画面８０−３４が画面の中央に移動して表示される。また、コントロール画面８０−３５の右側には、空調機１０−３６の詳細な運転内容を操作するためのコントロール画面８０−３６の一部が表示されており、管理者がタッチパネル５１上で左方向にフリック操作を行うと、当該コントロール画面８０−３６が画面の中央に移動して表示される。
【００４４】
また、右方向のフリック操作を繰り返すことにより、現在操作対象としている２階の空調機の中の最前番号の空調機１０−３３が中央に表示されているときに、さらに右方向にフリック操作を行うと（Ｓ７の「YES」）、表示情報生成部５２２により、２階の空調機１０−３３〜１０−６４に関する詳細な稼働状態を示す階別サマリー画面９０Ａが生成され、表示部５１２に表示される（Ｓ８）。
【００４５】
表示部５１２に表示された階別サマリー画面９０Ａの一例を、図７に示す。図７の階別サマリー画面９０Ａは横長に構成され、左側上部に、２階で現在ON状態の空調機の台数を示す全稼動台数情報９１、および２階の全空調機台数に対するON状態の空調機台数の割合を円弧の長さで表す図形情報９２が表示されている。また、左側下部に、２階でOFF状態の空調機の台数を示す全停止台数情報９３が表示されている。
【００４６】
また、中央上部に、２階の空調機に関し、動作モード（自動運転モード、冷房モード、暖房モード、送風モード、除湿モード）ごとの現在ON状態の台数を示すモード別稼動台数情報９４が表示され、中央下部に、動作モードごとの現在OFF状態の台数を示すモード別停止台数情報９５が表示されている。
【００４７】
また、右側上部に、２階の空調機をすべてON状態にする操作を行うための「ALL ON」ボタン情報９６が表示されている。また、右側下部に、２階の空調機をすべてOFF状態にする操作を行うための「ALL OFF」ボタン情報９７が表示されている。
【００４８】
図７において、階別サマリー画面９０Ａの右側にはコントロール画面８０−３３の一部が表示されており、管理者がタッチパネル５１上で左方向にフリック操作を行うと、当該コントロール画面８０−３３が画面の中央に移動して表示される。
【００４９】
また、図６のコントロール画面８０−３５の左上部には左矢印マーク８１が表示されており、管理者が当該左矢印マーク８１をタップ操作すると、図４のメイン管理画面６０が表示された状態に戻る。また、図７の階別サマリー画面９０Ａの左上部にも左矢印マーク９８が表示されており、管理者が当該左矢印マーク９８をタップ操作すると、同様に図４のメイン管理画面６０が表示された状態に戻る。
【００５０】
以上の実施形態によれば、多数の空調機を管理対象としている場合でも、容易に全空調機の稼働状態を把握するための画面を表示させることができる。具体的には、管理対象の多数の空調機に関し、動作モードごとのON状態の空調機台数および、動作モードごとのOFF状態の空調機台数を含むサマリー画面を表示させることができる。
【００５１】
このようなサマリー画面を表示させることで、例えば、盛夏季で全空調機が冷房モードに設定すべきであるときに、暖房モードで稼動していたり、暖房モードに設定された状態で停止されている空調機があると、管理者がこの状態に容易に気づいて設定を変更することができる。特に、管理対象の空調機の台数が多数であり、図４に示すようにすべての空調機アイコンを同時に表示できない場合にも、管理者がスクロール操作等を行うことなくすべての空調機の稼動状態を容易に認識することができる。
【００５２】
上述した実施形態においては、全体サマリー画面７０Ａおよび階別サマリー画面９０Ａを横長に構成した場合について説明したが、縦長に構成してもよい。図８に、縦長に構成した全体サマリー画面７０Ｂの一例を示す。
【００５３】
この全体サマリー画面７０Ｂでは、左側上部に、建物Ｘ内で現在ON状態の空調機の台数を示す全稼動台数情報７１、および全空調機台数に対するON状態の空調機台数の割合を円弧の長さで表す図形情報７２が表示され、その下に、建物Ｘ内でOFF状態の空調機の台数を示す全停止台数情報７３が表示されている。
【００５４】
また、中央左側に、建物Ｘ内の全空調機に関し、動作モード（自動運転モード、冷房モード、暖房モード、送風モード、除湿モード）ごとの現在ON状態の台数を示すモード別稼動台数情報７４が表示され、中央右側に、動作モードごとの現在OFF状態の台数を示すモード別停止台数情報７５が表示されている。
【００５５】
また、下部左側に、建物Ｘ内の空調機をすべてON状態にする操作を行うための「ALL ON」ボタン情報７６が表示されて、下部右側に、建物Ｘ内の空調機をすべてOFF状態にする操作を行うための「ALL OFF」ボタン情報７７が表示されている。つまり、「ALL ON」ボタン情報７６は、ON状態の空調機台数に関する情報であるモード別稼動台数情報７４に対応する位置に表示され、「ALL OFF」ボタン情報７７は、OFF状態の空調機台数に関する情報であるモード別停止台数情報７５に対応する位置に表示される。画面右下には、「CLOSE」ボタン情報７８が表示されており、管理者が当該「CLOSE」ボタン情報７８の位置をタップ操作すると（Ｓ４の「YES」）、図４のメイン管理画面６０が表示された状態に戻る。階別サマリー画面についても、同様に縦長に構成してもよい。このように、空調機の運転停止状態を示す情報と、全空調機に対するON、OFF操作を行うためのボタン情報とが対となるように各情報を配置して画面を構成することで、使用者は空調機の運転状況を把握するとともに空調機の操作内容を理解することができ、誤操作や空調機の運転状態の誤認のおそれを低減できる。
【００５６】
また、本実施形態においては、１つの空調機アイコンに対して１台の空調機を対応させた場合を示しているが、これには限定されず、１つの空調機アイコンに対して複数台の空調機を対応させてもよい。１つの空調機アイコンに対して複数台の空調機を対応させた場合は、当該空調機アイコンを操作することにより、対応する複数台の空調機の動作を一括して制御することができる。
【００５７】
なお、通常、空調機１０がOFF状態のときには、当該空調機１０に設置されたリモートコントローラ（図示せず）からは動作モードを変更することができず、OFF状態の間、当該空調機１０は直近で稼動（ON）していたときの動作モードが維持される。すなわち、リモートコントローラからの動作モードの変更は、空調機１０がON状態のときにしか行うことができない。
【００５８】
これに対し、本実施形態で用いるタブレット端末５０から、メイン管理画面６０またはコントロール画面８０を用いてOFF状態の空調機１０の動作モードを変更できるようにしても良い。この場合、OFF状態の空調機１０に関するコントロール画面８０上で、当該の空調機１０の動作モードを変更する操作が行われると、当該操作に基づいて動作制御情報生成部５２３で生成される動作制御情報により、当該空調機１０に設定されている動作モードが変更される。つまり、OFF状態の空調機１０に設定されている動作モードは、直近で稼働していたときの動作モードか、もしくはOFF状態になった後にタブレット端末５０上での操作により変更された最新の動作モードとなる。そして、当該空調機１０が次にON状態に切り替わったときに、設定されている動作モードで稼動が開始される。
【００５９】
以上の実施形態においては、タブレット端末５０を空調機管理装置として説明したが、コントローラ２０にタッチパネルを設け、上述のタブレット端末５０で説明した各種機能をコントローラ２０に組込み、中央管理装置兼空調機管理装置としても良い。
【００６０】
以上、本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【図１】
0006980914.tif 000002
【図２】
0006980914.tif 000003
【図３】
0006980914.tif 000004
【図４】
0006980914.tif 000005
【図５】
0006980914.tif 000006
【図６】
0006980914.tif 000007
【図７】
0006980914.tif 000008
【図８】
0006980914.tif 000009